(57)【要約】      （修正有）【課題】どのようなロングヘア及びセミロングヘアの人でも、ボブスタイルの特徴であるふんわりとしたボブスタイルを簡単に形成することが出来、また髪の長さが揃っていなくても、巻き込む対象となる髪を全て巻き込めるような髪結具を提供する。【解決手段】髪の形状に丸みをつけるよう弾力性を備えた帯状部分を持つ一対の前記両帯状部材１の両端部を伸縮性を有する接合部材３で接合して前記帯状部分に髪が挿入される間隔を形成し、前記接合部材の両端部に伸縮性のある部材の先端にクリップ４を配した髪結具。【選択図】図１
0003187292.tif 000002
【実用新案登録請求の範囲】
【請求項１】
弾力性を備えた帯状部分を持つ一対の前記両帯状部材の両端部を伸縮性を有する接合部材で接合して前記帯状部分に髪が挿入される間隔を形成し、前記接合部材の両端部に伸縮性のある部材の先端にクリップを配したことを特徴とする髪結具。
【請求項２】
前記帯状部材のそれぞれの帯状部分の一部の表面に髪を巻き付けやすくする髪保持部材を取り付けたことを特徴とする請求項１記載の髪結具。
【請求項３】
帯状部材は、非伸縮性の合成樹脂布材に弾力のある合成樹脂製素材を巻きつけて形成したことを特徴とする、請求項１または２のいずれかに記載の髪結具。
【考案の詳細な説明】
【技術分野】
【０００１】  本考案は、ロングヘア及びセミロングヘアの髪型をボブヘアに調整する髪結具に関する。
【背景技術】
【０００２】  従来、ロングヘア及びセミロングヘアの髪型をボブヘアにアレンジする場合は、自分の髪を内側に巻き込む、あるいは、軽量のスポンジのような素材を髪に巻き込み、毛先から根元に巻き上げ髪の形状を整え、ヘアピンをさし、固定していた。この方法の場合、アレンジする人のスキルによって出来上がりが異なる。また形状を固定する為に複数のピンを使用するので、そのピンが見えてしまうと言う欠点を有している。【０００３】  これに対し、ロングヘアの髪型に特化した、ボブスタイル形成用器具が意匠登録第１３９１１２７号公報に記載されている。
【先行技術文献】
【特許文献】
【０００４】
【意匠文献１】
意匠登録第１３９１１２７号公報
【考案の概要】
【考案が解決しようとする課題】
【０００５】  しかしながら、意匠登録第１３９１１２７号公報に記載されたボブスタイル形成器具は、その素材が硬質のエラストマー樹脂で出来ており、本体部分の厚みが５ｍｍ程度、幅が２ｃｍ程度で、平らな形状をしている為、髪に巻き込んだ場合、髪がボブスタイル形成器具の形状に沿って巻かれるため、髪型は、ボブスタイルの特徴である、丸みを帯びた髪の形状になりにくいと言う欠点を有しており、女性がボブスタイルに期待するふんわりとした形状を形成するのに適さない形状となっている。また本体部分がエラストマー樹脂で出来ている為、毛髪が滑ることにより毛髪を本体に絡め付ける力が無く、髪の毛の長さが均一で無い場合、一部の髪が巻き込めず、ボブスタイルの形状がきれいに整わないという事も起こっていた。【０００６】  このような状況に鑑み、本考案は、どのようなロングヘア及びセミロングヘアの人でも、ボブスタイルの特徴であるふんわりとしたボブスタイルを簡単に形成することが出来、また髪の長さが揃っていなくても、巻き込む対象となる髪を全て巻き込めるような髪結具を提供することを目的としてなされた。
【課題を解決する為の手段】
【０００７】  本考案は、上記目的を達成させるため、（１）弾力性を備えた帯状部分を持つ一対の前記両帯状部材の両端部を伸縮性を有する接合部材で接合して前記帯状部分に髪が挿入される間隔を形成し、前記接合部材の両端部に伸縮性のある部材の先端にクリップを配した髪結具を提供している。
【０００８】  さらに本考案は、（２）前記帯状部材のそれぞれの帯状部分の一部の表面に髪を巻き付けやすくする髪保持部材を取り付けた上記（１）記載の髪結具を提供している。
【０００９】  また本考案は、前記帯状部材は、非伸縮性の合成樹脂布材に弾力のある合成樹脂製素材を巻きつけて形成した（１）または（２）のいずれかに記載の髪結具を提供している。
【考案の効果】
【００１０】  本考案の髪結具によれば、後ろ髪を間隙部に挿通して、挿通した後ろ髪を毛先から根元に向けて、内側に巻き込んだ後、両端のクリップを、耳のすぐ後ろの髪の根元近くに留めるだけで、ロングヘア及びセミロングヘアを、ふんわりとしたボブスタイルの髪型に、女性自身の手で、簡単に演出することができる。
【００１１】  また、帯状部に髪保持部材を配置しているので、髪の毛を絡め付ける力があり、巻きつけた髪の毛に絡み付き、髪がまとまりやすい。
【００１２】  また、帯状部とクリップの間が弾力性のある素材なので、使用する人の頭の大きさが異なっても伸縮することで対応できるようになっているため、頭のサイズを気にせず使用することができる。
【図面の簡単な説明】
【００１３】
【図１】本考案の実施例の正面図
【図２】図１の平面図
【図３】図１中のＩＩＩ−ＩＩＩ矢視図
【図４】クリップを接合部材に配置した図
【図５】実施例の使用の仕方を示す図
【考案を実施する為の形態】
【００１４】  以下本考案を、図面を参照して具体的に説明する。
【００１５】  （帯状部材１）
帯状部材１は、柔らかい材質で髪の形状に丸みをつけるよう弾力性を備えたものとなるように、非伸縮性の合成樹脂布材からなる芯素材１１に、弾力のある合成樹脂製素材が多重に巻きつけられた外周部１２にて形成されたものである。帯状部材１の長さは両端の接合部材３の接合部分の間が９ｃｍ、幅は最大部分が３ｃｍ、帯状部材１の２本を隙間無く接触させた場合の厚みは最大部分が２ｃｍとなっている。帯状部材１の中心部となる芯素材１１は弾力性を有している平板上のもので、折り曲げても元の平板上に戻る性質を有している。芯素材１１に巻きつけられている外周部１２は、弾力のあるナイロン繊維で縫製された布状のものである。芯素材１１の長さは両端の接合部材３の接合部分の間が９ｃｍ、厚みは１．２ｍｍ、幅は１．９ｃｍである。また帯状部材１は、使用時に髪の間から見えた場合に分かり難くする為、こげ茶色をしている。
【００１６】  （髪保持部材２）
髪保持部材２は、巻きつけた髪がまとめた髪の外側に飛び出ないように髪を絡め付けるためテープの一方の面に多数のフックが取り付けられて作られている。髪保持部材２の本体はナイロンで作られていて、長さは２．５ｃｍ、幅は１．８５ｃｍ、厚みは０．３ｃｍであり、フックはナイロンで作られていて高さは０．２７ｃｍである。また髪保持部材２は、使用時に髪の間から見えた場合に分かり難くする為、こげ茶色をしている。
【００１７】  （接合部材３）
接合部材３は、素材はポリエステルとゴムで、帯状部材１の長手方向に伸縮性を有している。また、接合部材３は帯状部材１長手方向に対して直行する方向やその他様々な方向に引っ張られた場合でも、その特性により伸縮し、使用者の意図する形状に変形させることができる。また、接合部材３の帯状部材１の長手方向の長さは３．８ｃｍ、幅は３．０ｃｍ、厚みは０．１ｃｍである。また接合部材３の端部からクリップ４のブラシ部４１の先端のみ、はみ出るように配置されている。また接合部材３は、使用時に髪の間から見えた場合に分かり難くする為、黒色をしている。
【００１８】  （クリップ４）
クリップ４は、弾性を持たせた金属でできており、髪の間に入り込むブラシ部４１と、ブラシ部４１に相対した位置でブラシ部４１と共に髪を保持する受け部４２からなり、接合部材３にクリップ４の受け部４２が縫製され配置されている。クリップ４の帯状部材１の長手方向に対する長さは１．３ｃｍ、幅は２．８ｃｍである。またクリップ４は、使用時に髪の間から見えた場合に分かり難くする為、黒色をしている。
【００１９】  （本実施例の髪結具）
本実施例の髪結具は、一方の帯状部材１に髪保持部材２を２個互いに間隔を保って取り付け、他方の帯状部材１のほぼ中央部に髪保持部材２を１個取り付ける。両帯状部材１どうしが互いに間隙を保って向かい合うように配置され、両端部を接合部材３で接合する。両接合部材３の端部にはクリップ４が取り付けられている。本実施例髪結具は、使用しない通常の状態では、女性の頭部の大きさを考慮して長さは１７ｃｍで、伸縮性のある接合部材３が伸び切った状態で２７ｃｍの長さとなる。帯状部材１どうしの間隔は、挿通する髪の量に対して、柔軟に形状が変形するようになっている。本実施例髪結具の帯状部材１は、図３に示すように、芯素材１１は平板上のもので、外周部１２を巻いた全体は丸みを帯びた長方形の形状をしている。また髪保持部材２を巻いた場所は、楕円形となる。
【００２０】  （本実施例の髪結具の使用方法）
図５は、髪結具の使用例を示すものである。使用者は、クリップ４を接合部材３で覆っている側から、クリップ４の中央部を押し込み、クリップ４を開く（図５（ａ））。続いてロングヘアあるいはセミロングヘアの後ろ髪部分のボブスタイルにしたい部分の髪を手に取り、髪結具の帯状部材１の間に間隙部５を形成するように、端部を中央側に押し、間隙部５を形成する（図５（ｂ））。形成された間隙部５にボブスタイルにしたい部分の髪を挿通した後、髪結具を、髪の根元まで引上げた後、髪が解ける直前まで毛先の方に引き下げる（図５（ｃ））。引き下げた髪結具を、髪を間隙部５に保持したまま、内側に巻き上げる（図５（ｄ））。クリップ４が地肌側に来るように調整する。まとめた髪が崩れないように手で押さえ、両端のクリップ４を、耳の後ろ付近の髪に留める（図５（ｅ））。巻き上げた髪を少し手でつまみ出し、ふんわり感を出し、髪結具が隠れるように調整する（図５（ｆ））。
【００２１】  （帯状部材１）
帯状部材１は、柔らかい材質で髪の形状に丸みをつけるよう弾力性を備えたものとなるように、非伸縮性の合成樹脂布材からなる芯素材１１に、弾力のある合成樹脂製素材が多重に巻きつけられた外周部１２にて形成されたものである。帯状部材１の長さは８ｃｍ〜９ｃｍ、厚みは最大部分が１．８ｃｍ〜２ｃｍ、幅は約３ｃｍである。帯状部材１の該表面部分は柔らかい材質で髪の形状に丸みを付けるに適した弾力を備えた素材のもの、芯素材１１としては伸縮性がなく髪の張力に耐えうる強度を有する素材であればよく、長さは８ｃｍ〜１０ｃｍ程度、厚みは０．８ｃｍ〜１．２ｃｍ程度、幅は２．２ｃｍ〜２．７ｃｍ程度であればよいが、帯状部材１は、上記実施例に限定されるものではなく、例えば、芯素材１１は平板でなくても、棒状の素材を複数板状に並べたものでもよい。また芯素材１１とそれにたいして弾力のある合成樹脂素材である外周部１２を巻きつけたものでなくても、髪の形状に丸みを付ける事ができ、髪の張力に耐えうる強度を有する素材であれば良い。また帯状部材１は、髪に隠れやすくする為、黒又は、こげ茶色、または茶色が望ましいが、髪の毛の色に合わせたもの、例えば黒、茶色、こげ茶色のような色であれば、どのような色でもよい。また帯状部材１の断面は、丸みを帯びた四角形や、楕円形でなくても、髪の形状に丸みを与えるような形状、例えば円形のものでも良い。
【００２２】  （髪保持部材２）
髪保持部材２は、巻きつけた髪がまとめた髪の外側に飛び出ないように髪を絡め付けるためテープの一方の面に多数のフックが取り付けられて作られている。髪保持部材２の本体はナイロンで作られていて、長さは２．３ｃｍ〜２．７ｃｍ程度、幅は１．８ｃｍ〜３ｃｍ程度、厚みは約０．２ｃｍ〜０．４ｃｍ程度であればよく、フックはナイロンで作られていて高さは０．２５ｃｍ〜０．３ｃｍ程度であれば良い。また、髪保持部材２はワンタッチテープを使用しているが、これに限定されるものではなく、髪を傷めることなく、髪を絡めつけれるような部材、例えば面ファスナーのようなものでも良い。また髪保持部材２は、髪に隠れやすくする為、黒又は、こげ茶色、または茶色が望ましいが、使用時に目立たないような色であれば、どのような色でも良い。
【００２３】  （接合部材３）ゴム部材
接合部材３は、素材はポリエステルとゴムで、帯状部材１の長手方向に伸縮性を有している。また接合部材３の長さは２．５ｃｍ〜５．０ｃｍ程度、幅は２．６ｃｍ〜３ｃｍ程度、厚みは０．０５ｃｍ〜０．２ｃｍ程度であればよい。接合部材３は伸縮性を有するものであればよく、例えばポリウレタンのような合成樹脂でもよい。また接合部材３は、髪に隠れやすくする為、黒又は、こげ茶色、または茶色が望ましいが、使用時に目立たないような色であれば、どのような色でも良い。
【００２４】  （クリップ４）
クリップ４は、帯状部材１の長手方向に対する長さは１．１ｃｍ〜１．３ｃｍ程度、幅は２．６ｃｍ〜３．０ｃｍ程度であればよい。またクリップ４は、本実施例の髪結具に髪を巻きつけて巻きつけられた髪以外の髪の中に取り付けられて外から見えない形状のものであればよく、大きさも材質も本実施例で用いられたもの以外では弾性を備えたものであればどんなものでもよい。またクリップ４は、髪に隠れやすくする為、黒又は、こげ茶色、または茶色が望ましいが、使用時に目立たないような色であれば、どのような色でも構わない。
【００２５】  （全体の説明）
本実施例の髪結具は、一方の帯状部材１に髪保持部材２を２個互いに間隔を保って取り付け、他方の帯状部材１のほぼ中央部に髪保持部材２を１個取り付けられているが、髪保持部材２は髪を保持することが出来れば、各帯状部材１に対して髪保持部材２は１個でも複数個でも良い。両帯状部材１は互いに間隙を保って向かい合うように配置され、両端部を接合部材３で接合するが、クリップ４に伸縮性がある場合は、接合部材３はなくても良い。また、両接合部材３の端部にはクリップ４が取り付けられている。本実施例髪結具は、使用しない通常の状態では、女性の頭部の大きさを考慮して長さは１４ｃｍ〜１８ｃｍ程度に形成され、伸縮性のある接合部材３が伸び切った状態で２４ｃｍ〜２８ｃｍ程度に形成されれば良い。
【符号の説明】
【００２６】１：帯状部材
１１：芯素材
１２：外周部
２：髪保持部材
３：接合部材
４：クリップ
４１：ブラシ部
４２：受け部
５：間隙部
【図１】
0003187292.tif 000003
【図２】
0003187292.tif 000004
【図３】
0003187292.tif 000005
【図４】
0003187292.tif 000006
【図５】
0003187292.tif 000007